(57)【要約】【課題】光屈折性及び光学的遮蔽機能を備え、容器の外部から内容物の形体を判別できず、容器の外観が周囲の光を集めて屈折し、複数の点状の輝きを放ち、優れた美感を発揮する、容器の光学的遮蔽構造を提供すること。【解決手段】底部が底面部１２により封鎖された側面部１１を含み、側面部１１の外側表面に軸方向に延びる複数の柱状面２が形成されると共に、内側表面に上下多段に分けられた複数の環状曲面が形成されることにより、光屈折効果を具える。【選択図】図４
0003175593.tif 000002
【実用新案登録請求の範囲】
【請求項１】
透光性の材料で形成された容器の光学的遮蔽構造であって、底部が底面部により封鎖された側面部を含み、該側面部の外側表面に軸方向に延びる複数の柱状面が形成されると共に、内側表面に上下多段に分けられた複数の環状曲面が形成されることにより、光屈折効果を具えたことを特徴とする、容器の光学的遮蔽構造。
【請求項２】
前記柱状面が周方向に連続して並設されたことを特徴とする、請求項１に記載の容器の光学的遮蔽構造。
【請求項３】
前記各環状曲面は、軸方向に対して傾斜した複数の傾斜曲面と、これら傾斜曲面の上下にそれぞれ連接され、軸方向に沿う直立曲面とから成ることを特徴とする、請求項１に記載の容器の光学的遮蔽構造。
【考案の詳細な説明】
【技術分野】
【０００１】
本考案は容器の光学的遮蔽構造に関し、特に、光屈折性を備えた容器であって、側面部が内部に収容された物品の外観を遮蔽できる、光学的構造に関する。
【背景技術】
【０００２】
容器の設計に関しては、収納する物品によって、透光性と不透光性の２種類がある。また、不透光の部分が完全な不透光のものと、半透光のものがある。半透光性又は透光性の容器で、外部の光が射し込むようにしたものは、光が射し込む際に、容器本体の曲面または表面上の角部の接する部位で集光と屈折を生じるために点状に輝き、美感が増加されるが、内部に入れられた内容物が使用されると量に変化が生じたり、内容物の不規則な形状が美感に影響したりすることがある。
特に、飲食店の食材容器などは内容物が使用されて量が減少していく中で、最下層の部分は当然最も長い間その容器内に残るが、注文した食材が最下層から取り出されるのを客が目にすると、その鮮度に疑問を持つ可能性があるので、店側は使い終える前に内容物を補給・充填することがよくある。このため、最下層の部分が永遠に残って古くなり、酸化してしまうことがある。
【０００３】
これを隠す目的で光透過率が通常のものに比べて半分程度の容器を使用することがある。このような半分程度の光透過率を施す加工は、容器表面にサンドブラスト研磨で曇った表面を形成するものであるが、曇り加工をしても、外側から内容物を容易に見ることができる。さらに一般的な光透過率が半分程度の容器は、透光性の高いポリマーまたはガラス材質で形成され、原料の色を調整したり、表面にマット加工をしたりして処理するが、マット加工は視覚を遮り、内容物が見えにくくする効果があるものの、複合加工のため、容器外観の輝きと美感が失われてしまう。
【考案の概要】
【考案が解決しようとする課題】
【０００４】
本考案が解決しようとする課題は、光屈折性及び光学的遮蔽機能を備え、容器の外部から内容物の形体を判別できず、また容器の外観が周囲の光を集めて屈折し、複数の点状の輝きを放ち、優れた美感を発揮する、容器の光学的遮蔽構造を提供することにある。
【課題を解決するための手段】
【０００５】
本考案は、透光性の材料で形成された容器の光学的遮蔽構造に関し、底部が底面部により封鎖された側面部を含み、該側面部の外側表面に軸方向に延びる複数の柱状面が形成されると共に、内側表面に上下多段に分けられた複数の環状曲面が形成されることにより、光屈折効果を具える。
前記柱状面を周方向に連続して並設してもよい。
前記各環状曲面は、軸方向に対して傾斜した複数の傾斜曲面と、これら傾斜曲面の上下にそれぞれ連接され、軸方向に沿う直立曲面とから成ることがある。
【考案の効果】
【０００６】
本考案の容器は、複数の柱状面と複数の環状曲面の間に形成された複数の四角形ブロック状複合レンズが、容器内に入れた内容物が反射して射出する光束を様々な角度に屈折させるため、内容物がいかなる形状でも容器の外部から直接見えず、内容物の形状がはっきりせずに遮蔽効果があり、各レンズが周囲の１つまたは複数の光源を利用して屈折・集光作用を生じ、容器の外側表面にレンズの数に応じて複数の輝く屈折光点が形成され、華麗な美感が生み出される。
【図面の簡単な説明】
【０００７】
【図１】本考案の実施例に係る容器の一部を破断した要部斜視図である。
【図２】本考案の実施例に係る容器の光学作用を説明する概略図である。
【図３】本考案の実施例に係る容器の生産工程を説明する概略図である。
【図４】本考案の実施例に係る容器の側面図である。
【考案を実施するための形態】
【０００８】
以下、本考案の実施例を図面に基づいて詳細に説明する。
図１に示すように、本考案に係る容器１は、固体、液体等の物品を収容するためのものであって、側面部１１の底部に底面部１２が設けられ、内部に物品を入れるための収容槽１０が形成されている。
側面部１１は、ガラス、ポリエステル化合物等の透光性を具えた材料から形成され、側面部１１の外側表面には軸方向に延びる複数の柱状面２が設けられる。各柱状面２は、側面部１１と一体に形成され、隣接する柱状面２どうしが所定角度をもって接するよう、周方向に連続して並設されている。
なお、軸方向に延びる柱状面２は、側面部１１がテーパー状に形成されている場合は、軸方向に対してやや傾斜している。
【０００９】
側面部１１の内側表面には、容器１の高さに応じて上下に分けて多層の環状曲面３が設けられる。環状曲面３は、側面部１１と一体に形成され、上下に隣接する環状曲面３どうしは軸方向に対して互いに異なる角度を有している。
容器１の外側表面の柱状面２と、内側表面の横方向に環状に設けられた環状曲面３の両者とは互いに対向するよう形成され、外側表面と内側表面の間に、柱状面２の境界と環状曲面３の境界で囲まれた複数の四角形ブロック状複合レンズ１４が形成される。
【００１０】
容器１は、透光性材料により手作業または射出成型で形成することができる。
容器１を射出成型で形成する場合は、金型を用意し、単方向の直線方式でオス型とメス型を閉じ合わせて金型が組み立てられ、金型の組み立てが完了した後射出作業を行い、冷却して定型後、型を開いて取り出される。
金型を開くときに容器１の内側表面及び外側表面に金型が摩擦を生じたり、またはいわゆる強制離型でその表面の光沢度に影響を与えたりすることがないように、単方向の直線開閉方式で金型を開閉するようにする。
【００１１】
単方向の開閉方式で高速生産をするために、図３に示すように、オス金型４０の直径を先端に向かって徐々に小さくしてある。オス金型４０の外面には、軸方向断面において、多段の軸方向と平行な直立部が設けられ、隣接する直立部の間は軸方向に対して傾斜した傾斜部で滑らかに連続的に連接されるため、オス金型４０の外側表面に段差のある連結線はない。
メス金型は、図示していないが、容器１の外側表面の形状に対応して形成され、メス金型の内面は弧形の溝部を備え、この溝部が柱状面２を形成する。メス金型の内面は、軸方向に対して斜め上方に開いたテーパー角度θ°∠を有し、容器１の外側表面の離型に有利になっている。
【００１２】
金型４のオス金型４０の外面には、上下に多段に分かれた第一直立部４１、第二直立部４２、第三直立部４３、第四直立部４４が設けられ、第一直立部４１と第二直立部４２の間は第一傾斜部４１０により連結され、第二直立部４２と第三直立部４３の間は第二傾斜部４２０により連結され、第三直立部４３と第四直立部４４の間は第三傾斜部４３０により連結される。第一傾斜部４１０、第二傾斜部４２０、第三傾斜部４３０の上下両端は、なめらかに連続して第一直立部４１または第二直立部４２、或いは第三直立部４３、第四直立部４４と連接されるため、オス金型４０の表面には段差はなく、表面は光沢加工、あるいはマット加工とすることができる。表面のマット加工後は光を阻む効果が高まる。
【００１３】
オス金型４０とメス金型を閉じ合わせて射出した後に形成される容器１は、その側面部１１の外側表面に柱状面２が形成され(図１参照)、その内側表面には、オス金型４０の第一直立部４１、第二直立部４２、第三直立部４３、第四直立部４４及び第一曲傾斜部４１０、第二傾斜部４２０、第三傾斜部４３０により第一直立曲面３１、第二直立曲面３２、第三直立曲面３３、第四直立曲面３４と第一傾斜曲面３１０、第二傾斜曲面３２０、第三傾斜曲面３３０が形成される。
第一直立曲面３１、第二直立曲面３２、第三直立曲面３３、第四直立曲面３４及び第一傾斜曲面３１０、第二傾斜曲面３２０、第三傾斜曲面３３０により環状曲面３が構成される。
【００１４】
図４に示すように、容器１は、その上端部の開口に開閉可能な蓋体１３を設けることができる。蓋体１３には、曲面を備えた放射型レンズ１３０を周方向に並べて設けることができ、この曲面を備えた放射型レンズ１３０は上からの光線を受け、光線が進入した後、光束の方向を変えて容器１の内部に作用する。
【００１５】
光学の原理に基づき、真っ直ぐな光線が曲面を通過するときの屈折により、レンズの焦点に光が集まる効果が生じることが分かっている。すなわち、柱状面２は、容器１の内側からの点状の光を平面光に転換して出射し、外部から入射した光を線状に変えて内容物の表面に投射する。
【００１６】
図２に示すように、容器１内部の収容槽１０に内容物体５を入れた時、内容物体５の頂点を光束作用点５０と仮定すると、外部の光束Ｂｏが進入した後光束作用点５０に当たって反射される。
容器１の側面部１１の内側表面には、第一傾斜曲面３１０、第二傾斜曲面３２０、第三傾斜曲面３３０が形成されているので、反射光束Ｂｒも異なる角度に分かれ、第一傾斜曲面３１０、第二傾斜曲面３２０、第三傾斜曲面３３０の部位から屈折されて射出される。第一傾斜曲面３１０、第二傾斜曲面３２０、第三傾斜曲面３３０の角度の違いのため、屈折光束Ｂｎの角度は異なり、外観からは内容物体５の形状が見えず、遮蔽効果が発揮される。
また、使用者が容器１を取り、回転させたり揺らしたりして連続して角度を変えると、容器１の表面から射出される光束が角度の変化によって揺れ、魅惑的な光学の美を作り出す。
【００１７】
容器１の外側表面には、連続して並設された複数の柱状面２が形成され、容器１の内側表面には、複数の環状曲面３が柱状面２に交差するよう形成されているため、外観上複数のアレイ関係の四角形ブロック状複合レンズ１４が見え、各四角形ブロック状複合レンズ１４は図２に示すような屈折作用を備えており、内容物の反射する光束を変形させる。
しかも、人の視角は１つの角度のみから内容物を捉え、内容物との間は直線の視覚関係を成すため、内容物が上下左右の異なる角度位置の四角形ブロック状複合レンズ１４の作用により、多角度の屈折変化を形成し、人は内容物の形状を直接見ることができず、遮蔽の機能を達成することができる。
【００１８】
また、外部からの光束は、光がどの角度から入ってきても、いずれも四角形ブロック状複合レンズ１４、または蓋体１３の放射型レンズ１３０を通過して屈折され、また、反射光束は射出可能な経路に沿って屈折して射出され、少なくとも人の視線の中では、複数点の屈折または反射された光束が得られ、環状曲面３及び柱状面２の曲率の変化のため、内部から屈折して射出される光束に対して焦点作用を生じ、明るく輝く点状に分布した光の点が得られ、容器の外観に美感を形成する。
【００１９】
より遮蔽効果を高めて神秘的な雰囲気を出したい場合、容器１の内側表面または外側表面に曇り加工を加えてもよい。曇り加工を施すと、同様に明るい点の屈折または反射が得られるが、明るい点がありさえすれば、それが容器１の表面全体に強烈な明るさの対比を生じ、生き生きとした光学的美感が得られる。本考案は関連容器の光束整形に対する革新的な設計であり、容器内容物の遮蔽効果を提供し、かつその輝く華麗な美感を維持することができ、実に革新的である。
【符号の説明】
【００２０】
１        容器
１０      収容槽
１１      側面部
１２      底面部
１３      蓋体
１３０    放射型レンズ
１４      四角形ブロック状複合レンズ
２        柱状面
３        環状曲面
３１      第一直立曲面
３１０    第一傾斜曲面
３２      第二直立曲面
３２０    第二傾斜曲面
３３      第三直立曲面
３３０    第三傾斜曲面
３４      第四直立曲面
４        金型
４０      オス金型
４１      第一直立部
４１０    第一傾斜部
４２      第二直立部
４２０    第二傾斜部
４３      第三直立部
４３０    第三傾斜部
４４      第四直立部
５        内容物体
５０      光束作用点
【図１】
0003175593.tif 000003
【図２】
0003175593.tif 000004
【図３】
0003175593.tif 000005
【図４】
0003175593.tif 000006